(57)【要約】【課題】グラウンドゴルフ用クラブを収納するクラブケースであって、長さの相違するクラブを収納でき、短い長さのクラブを入れても、ケース内で遊び空間を生じることなく収納できるようにしたクラブケースを提供する。【解決手段】クラブケース本体１は柔軟性のある布製で、クラブのヘッドが収納される膨出したヘッド収納部２を一端側に有し、クラブのシャフトが収納される筒状のシャフト収納部４を他端側に一連に形成している。該シャフト収納部４の先端側にはヘッド収納部２方向に折り返し可能な折り返し部１２が形成され、該折り返し部１２をシャフト収納部４の外面に折り重ねて締着具で締着する。【選択図】図１
0003217791.tif 000002
【実用新案登録請求の範囲】
【請求項１】
クラブケース本体は、柔軟性を有する材料で作られ、クラブのヘッドが収納される膨出したヘッド収納部を一端側に有し、クラブのシャフトが収納される筒状のシャフト収納部は上記ヘッド収納部から他端側に一連に形成され、該シャフト収納部の先端側にはヘッド収納部方向に折り返し可能な折り返し部が形成され、該折り返し部をシャフト収納部の外面に折り重ねて締着する締着具を具備するクラブケース。
【請求項２】
上記クラブケース本体は布製であり、上記折り返し部の裏面には、裏打ち布が設けられている請求項１に記載のクラブケース。
【請求項３】
上記締着具は、長さ調節可能なベルトと止具である請求項１に記載のゴルフケース。
【請求項４】
上記クラブは、グラウンドゴルフ用クラブである請求項１から３のいずれかに記載のクラブケース。
【考案の詳細な説明】
【技術分野】
【０００１】
本考案は、ボールをクラブで打撃する各種球技において、クラブを収納するクラブケースに関し、特にグラウンドゴルフ用クラブに好適に使用できるクラブケースに関するものである。
【背景技術】
【０００２】
日本グラウンドゴルフ協会では、クラブについて、「クラブはシャフトおよびヘッドからなる滑らかな木製とする。全長は５０ｃｍ以上１００ｃｍ以下とする」と仕様を定めている。そして、実際には、グラウンドゴルフ用クラブとして、長さ８０ｃｍ、８５ｃｍ、９０ｃｍ等のように全長が相違する各種のクラブが販売されており、競技者の身長やグリップを握る位置、シューズのソール高さなど競技者の適性に応じて、例えば身長が１５０ｃｍ程度の人は、８０ｃｍ、身長が１６０〜１６５ｃｍ程度の人は８５ｃｍ、それ以上の人は、９０ｃｍというように、自分に合った長さのクラブを選択して使用している。このシャフトに固定されるヘッドは、「ヘッドの横幅は最も長いところで１４ｃｍ以上１６ｃｍ以下、縦幅は最も広いところで７ｃｍ以上8ｃｍ以下、厚みは４ｃｍ以上４．５ｃｍ以下とする」と定められている。そのためグラウンドゴルフ用クラブは重さがあって長さも長くなり、持ち運びにくいので、ボールや手袋とともにクラブケースに収納してグラウンドゴルフコースまで携行することが多い。グラウンドゴルフ用クラブケースは、一般的に、通常のゴルフのケース(例えば特許文献１参照)と同じように、クラブケースの一端側には、クラブのヘッドが入り込むヘッド収納部が膨出して大きく形成され、シャフトが入るシャフト部はこの膨出部より他端側に延びる細身の略筒状に形成され、側面に設けたファスナーを開閉してクラブを出し入れするよう構成されている。ボールや手袋等の収納袋はケースの側面に設けられ、該側面には携行時にケースを持ち運ぶための肩ベルトや提手も設けられている。
【０００３】
上記したように、グラウンドゴルフ用クラブは、長さの相違する種々のクラブが用意されているので、クラブケースも各種クラブの全長に応じてシャフト収納部の長さを変えた複数種のケースを個々に用意すればよいが、実際に販売店で提供されているクラブケースは、最大長さ、例えば長さ９０ｃｍのクラブを収納できる大きさのシャフト収納部を有する構造に作られている。そのため、このような全長が長いケースに、短い長さのグラウンドゴルフ用クラブを収納すると、ヘッドはヘッド収納部に納まるが、シャフト収納部の先端側にシャフトが入っていない筒状の遊び空間が生じる。そして、ケースを肩ベルトで肩からかけて携行したり、提手を持ってぶら下げて携行すると、ケース内でクラブが動揺し、ヘッドやシャフトの表面がケース内面に擦れて傷ついたり、上記遊び空間部分のケースが折れ曲がったり、垂れ下ったりして不安定になり、持ち運びにくかった。
【先行技術文献】
【特許文献】
【０００４】
【特許文献１】特開平２００２−１７９２０号公報（図１、図２）
【考案の概要】
【考案が解決しようとする課題】
【０００５】
本考案の解決課題は、グラウンドゴルフ等に使用されるクラブを収納するケースであって、全長が長短異なるクラブであってもケース内で動揺しないように収納できるようにしたクラブケースを提供することである。
【課題を解決するための手段】
【０００６】
本考案によれば、クラブケース本体は、柔軟性を有する材料で作られ、クラブのヘッドが収納される膨出したヘッド収納部を一端側に有し、クラブのシャフトが収納される筒状のシャフト収納部は上記ヘッド収納部から他端側に一連に形成され、該シャフト収納部の先端側にはヘッド収納部方向に折り返し可能な折り返し部が形成され、該折り返し部をシャフト収納部の外面に折り重ねて締着する締着具を具備するクラブケースが提供され、上記課題が解決される。
【０００７】
また、本考案によれば、上記クラブケース本体は布製であり、上記折り返し部の裏面には、裏打ち布が設けられ、上記締着具は、長さ調節可能なベルトと止具である上記クラブケースが提供される。
【考案の効果】
【０００８】
本考案は上記のように、クラブケース本体は、クラブのヘッドが収納される膨出したヘッド収納部とクラブのシャフトが収納される筒状のシャフト収納部を有し、該シャフト収納部の先端には、折り返し可能な折り返し部が形成され、この折り返し部をシャフト収納部の外面に折り重ねて締着する締着具を設けたから、９０ｃｍというような全長の長いグラウンドゴルフ用クラブは、ヘッド収納部とシャフト収納部内にそのまま収納してもよく、また全長が８０ｃｍというような短いグラウンドゴルフ用クラブは、ヘッドをヘッド収納部に入れ、シャフトをシャフト収納部に入れたのち、該シャフトの先端を支点にして折り返し部を折り返し、締着具で締着することにより、遊びを生じることなくケース内に収納することができる。したがって、クラブの表面が損傷することがなく、また携行に際してもシャフト収納部が垂れ下がったり、折れ曲がったりすることがないので、持ち運びやすい。
【０００９】
上記クラブケース本体を布製にし、上記折り返し部の裏面に、裏打ち布を設けると、ケース内に収納したシャフトの頭部が裏打ち布に摺接するので、クラブケース本体が補強されて壊れにくくなる。上記長さ調節可能なベルトを有する止具で締着具を構成すると、ベルトを引っ張りながら締着することができるので、シャフト収納部の遊び空間を少なくすることができ、また締着具がシャフト収納部に沿って位置するから、携行する際に締着具がクラブケース本体の側面から大きく飛び出すことがなく、一層携行しやすい。
【図面の簡単な説明】
【００１０】
【図１】本発明の一実施例を示し、（Ａ）は長いグラウンドゴルフ用クラブを収納した場合の側面図、（Ｂ）はそれより短いグラウンドゴルフ用クラブを収納した状態の側面図。
【図２】シャフト収納部の一部の正面図。
【図３】シャフト収納部の一部の背面図。
【図４】短いグラウンドゴルフ用クラブを収納したシャフト収納部の一部の背面図。
【図５】折り返し部を折り返した状態の拡大断面図。
【考案を実施するための形態】
【００１１】
図１は本考案の一実施例を示し、グラウンドゴルフ用クラブのクラブケース本体１は、ポリエステル、ナイロン等の合成樹脂繊維材料等作られた柔軟性を有する布製であるが、皮革材料で作ることもでき、クラブのヘッドが収納される膨出したヘッド収納部２を一端側に有している。クラブのシャフト３が収納されるシャフト収納部４は、筒状に形成され、上記ヘッド収納部２から他端側に一連に形成され、図５に示すように、裏面には裏打ち布５が設けられている。上記ヘッド収納部２及びシャフト収納部４には、長手方向に沿って開口部が設けられており、この開口部はファスナー６により開閉可能である。また、ヘッド収納部２の外面には、競技に使用するカードケースや手袋を収納できる手袋収納ポケット７が形成され、シャフト収納部４の外面にはボールを収納できるボール収納ポケット８が形成され、いずれもファスナー９で開閉可能に設けられている。さらに、肩ベルト１０や提手１１が設けられている。
【００１２】
上記シャフト収納部４の先端までの長さは、通常のグラウンドゴルフ用クラブのうち、長さの長いクラブを収納できる大きさに対応した長さに形成されている。この先端側には上記ヘッド収納部２方向に折り返し可能な折り返し部１２が形成されている。この折り返し部１２の折り返しの最大位置は、通常のグラウンドゴルフ用クラブのうち、最も短い長さのクラブをクラブケース本体１に収納したとき、そのシャフトの先端にほぼ対応した位置が折り返し位置となるように設けられ、この間の任意の位置で適宜折り返すことができるようにしてある。
【００１３】
上記シャフト収納部４の外面には、該折り返し部１２をシャフト収納部４の外面に折り重ねて締着するための締着具が設けられている。図に示す実施例では締着具は、長さ調整可能なベルト１４と止具１５を用い、止具としてバックルを用いている。長さ調整可能なベルト１４は、基端１７をシャフト収納部の側面に沿って固定した調整ベルト１６と、この調整ベルト１６に着脱可能に連結され基端１９をシャフト収納部４の先端側に固定した固定ベルト１８を含んでいる。実施例では、バックルとして、サイドリリース形式のバックルを設け、調整ベルト１６の折り返し部分にバックル部片２０を保持し、その係止片２１を固定ベルト１８側に設けたバックル部片２２の受孔に挿入係止し、係止片２１の側面を押して解放できるようにしてあるが、フロントリリース形式のバックルにしたり、複数の掛止孔とピンをベルトに設けて離脱可能に係止することもできる（図示略）。また、図示を省略したが、止具として、ボタンやフック、面状ファスナー等を用いて着脱可能に係止するようにしてもよい。
【００１４】
上記クラブケースを使用するとき、長さの長いグラウンドゴルフ用クラブの場合には、シャフト収納部４を長く伸ばしたまま開口部のファスナー６を開けてヘッド収納部２とシャフト収納部４内に収納すればよい。長さの短いグラウンドゴルフ用クラブの場合には、開口部からケース本体１内に入れたクラブのシャフト３のほぼ先端が折り返し位置となるように上記折り返し部１２をヘッド収納部２側に折り返し、その位置でバックル部片２０、２２が係合するように調整ベルト１６の長さを調整する。そして折り返した部分をシャフト収納部４の外面に折り重ねて締着具で締着すればよい。調整ベルト１６の長さを調整することにより、各種サイズのグラウンドゴルフ用クラブを収納しても、遊び空間を生じることなく、同じクラブケースに収納することができる。
【００１５】
なお、上記クラブケースは、グラウンドゴルフ用クラブに好適に使用することができるが、パークゴルフその他シャフトの長さが長短相違するようなクラブの収納にも使用することができる。
【符号の説明】
【００１６】
１    クラブケース本体
２    ヘッド収納部
４    シャフト収納部
１２  折り返し部
１６  調整ベルト
１８  固定ベルト
２０、２２  バックル部片
【図１】
0003217791.tif 000003
【図２】
0003217791.tif 000004
【図３】
0003217791.tif 000005
【図４】
0003217791.tif 000006
【図５】
0003217791.tif 000007